(57)【要約】【課題】ダークマターは−２７３℃の空間で自転している電気のラブと陽子のラブではないだろうか。太陽には、どうして惑星の合計質量の７００倍もの水素とヘリュウムが存在するのか。宇宙背景放射の光子の軌道エネルギーはいくらか。【解決手段】太陽の原始星のジェット噴射である光子が、その場の温度を高くし、ダークマターである自転する電子のラブと陽子のラブは公転し水素に成った。この水素が太陽の原始星に集まり、太陽ができたと考える。太陽の原始星が噴出する光子はどこまで飛ぶかを考える。そこに、小惑星が存在する事によってダークマターは電子のラブと陽子のラブであることが証明される。宇宙背景輻射の公転軌道エネルギーは、ビッグバンの光子が１３７億光年の距離を飛行するあいだに弱まったと考える。【選択図】図１
2007259699.tif 000002
【特許請求の範囲】
【請求項１】
ダークマターは何か。
ダークマターは、−２７３℃の場に存在し、公転できず、自転だけしている電子のラブと陽子のラブです。
−２７３℃の場で、電子のラブの公転軌道は、
１．０５８×１０−１０ｍ×（２７３）１／２＝１．０５８×１０−１０ｍ×１６．５２３＝１．７４８×１０−９ｍです。
電子のラブの秒速は、
３．１４×公転軌道×１秒間の公転数＝３．１４×１．７４８×１０−９ｍ×（７．９６×１０７）２公転＝３．４７８×１０７ｍになり、光速に近くなり、公転できなくなる。
それで、電子のラブは自転だけする。
−２７３℃の場で、陽子のラブの公転軌道は、
５．７６４×１０−１４ｍ×（２７３）１／２＝５．７６４×１０−１４ｍ×１６．５２３＝９．５２４×１０−１３ｍです。
陽子のラブの秒速は、
３．１４×公転軌道×１秒間の公転数＝３．１４×９．５２４×１０−１３ｍ×７．９６×１０７×４．３４×１０４公転＝１．０３３×１０ｍになり、公転できなくなる。
それで、陽子のラブは自転だけする。
【請求項２】
ダークマターに電荷が無いのはなぜか。
中性子の核磁気モーメントはマイナスです。陽子の核磁気モーメントはプラスです。
これは公転する方向が逆であるからです。電荷は公転する方向によって決まる。
もし、公転していなかったら、公転する方向もありません。
ダークマターである、自転する電子のラブと陽子のラブは公転しませんから、公転する方向もありません。
よって、公転する方向が無いので、電荷は無いです。
【請求項３】
ダークマターは存在する場所により２種類に分類される。
１種類は、ビッグバン後、クエーサーに成れなかったダークマター（−２７３℃で自転している電子のラブと陽子のラブ）です。
２種類は、クエーサーの中で、これは後で銀河に成りますから、銀河の中で、星や惑星や褐色矮星やブラックホールや中性子星や白色矮星や暗黒星雲に成れなかったダークマター（−２７３℃で自転している電子のラブと陽子のラブ）です。
ビッグバン後、質量を得た電子のラブと陽子のラブは、−２７３℃の場で、自転しています。
そして、クエーサーの中に存在できなかった電子のラブと陽子のラブは、−２７３℃の場で、自転し続けます。
クエーサーの中に存在した電子のラブと陽子のラブのなかで、星や惑星や褐色矮星やブラックホールや中性子星や白色矮星や暗黒星雲に成らず、水素や元素に成らず、−２７３℃の場で、自転している電子のラブと陽子のラブがダークマターです。
【請求項４】
暗黒星雲はどうしてできるか。
暗黒星雲は−２６０です。この温度で、ダークマターである、自転している電子のラブと陽子のラブは、公転します。
電子のラブの公転軌道は、
１．０５８×１０−１０ｍ×（２６０）１／２＝１．０５８×１０−１０ｍ×１６．１２５＝１．７０６×１０−９ｍです。
陽子のラブの公転軌道は、
５．７６４×１０−１４ｍ×（２６０）１／２＝５．７６４×１０−１４ｍ×１６．１２５＝９．２９４×１０−１３ｍです。
この電子のラブと陽子のラブが水素になり、水素分子に成り、暗黒星雲になる。
この事によって、宇宙で、水素になることができる電子のラブの最大の公転軌道は、１．７０６×１０−９ｍです。
電子のラブの最大の秒速は、３．１４×公転軌道×１秒間の公転数＝３．１４×１．７０６×１０−９ｍ×（７．９６×１０７）２公転＝３．３９４×１０７ｍです。
宇宙で、水素になることができる陽子のラブの最大の公転軌道は、９．２９４×１０−１３ｍです。
陽子のラブの最大の秒速は、３．１４×公転軌道×１秒間の公転数＝３．１４×９．２９４×１０−１３ｍ×７．９６×１０７×４．３４×１０４公転＝１０ｍです。
【請求項５】
暗黒星雲を作る温度−２６０℃はどのようにできるか。
▲１▼ジェット噴射によってできる。
▲２▼恒星から放出する光子によってできる。
クエーサーのジェット噴射によって、電気の光子と磁気の光子は広い範囲に飛び散る。
原始星のジェット噴射によって、電気の光子と磁気の光子は広い範囲に飛び散る。
恒星から電気の光子と磁気の光子が放出する。
この電気の光子が−２７３℃の温度を−２６０℃に上昇させる。この事によって、−２６０℃の場ができ、その場に存在していたダークマターである、自転する電子のラブと陽子のラブは、公転するようになり、水素になる。
よって、ジェット噴射が大きいほど広範囲の空間のダークマターを水素にする事ができる。
【請求項６】
ブラックホールについて。
ブラックホールを次の３点から考える。
▲１▼ブラックホールの万有引力は１Ｊｍ／ｋｇ２である。これは、私が２００７年３月７日に提出した、特願２００７−９８８７２の「請求項１２」に記した。
▲２▼ブラックホールは、太陽の質量の３０倍の星が爆発した後に残る、高エネルギーの中央部が収縮したものです。
この星の中央部の温度は、
太陽の中央部の温度×３０２＝１５×１０６℃×９００＝１．３５×１０１０℃です。
この星の中央の万有引力係数は、
６．６７２×１０−１１Ｊｍ／Ｋｇ２×１．３５×１０１０＝９×１０−１Ｊｍです。
しかし、ブラックホールになると、更に収縮するので、その収縮を１０１／２としますと、ブラックホールの場の万有引力係数は、９×１０−１Ｊｍ×１０＝９Ｊｍ／Ｋｇ２です。
このブラックホールの性質。
温度は、１．３５×１０１０℃×１０＝１．３５×１０１１℃です。
Ａは、（１．３５×１０１１℃）１／２＝１３．５１／２×１０５＝３．６７４×１０５です。
万有引力定数は、９Ｊｍ／Ｋｇ２です。
電子のラブの公転軌道は、１．０５８×１０−１０ｍ÷（３．６７４×１０５）＝２．８８×１０−１６ｍです。
電子のラブのエネルギーは、８．１８７×１０−１４Ｊ×３．６７４×１０５＝３．００８×１０−８Ｊです。
陽子のラブの公転軌道は、５．７６４×１０−１４ｍ÷（３．６７４×１０５）＝１．５６９×１０−１９ｍです。
陽子のラブのエネルギーは、１．５×１０−１０Ｊ×３．６７４×１０５＝５．５１１×１０−５Ｊです。
ラブの軌道エネルギーは、８．６６５×１０−２４Ｊｍです。
光子の公転軌道エネルギーは、１．２３３×１０−４１Ｊｍです。
光子の自転軌道エネルギーは、６．１１２×１０−５７Ｊｍです。
１電子のラブが１秒間に作る、引力と成る磁気の光子の公転軌道エネルギーは、
１．２３３×１０−４１Ｊｍ÷（６．１×１０−４ｍ）×６．３３６×１０１５公転×１．０５８×１０−１０ｍ×３．６７４×１０５＝１．３５５×１０−３２Ｊｍ×３．６７４×１０５＝４．９７８×１０−２７Ｊｍです。
１電子のラブが１秒間に作る、熱と成る電気の光子のエネルギーは、
１．２３３×１０−４１Ｊｍ÷（２．０６６×１０−５ｍ）×６．３３６×１０１５公転×３．６７４×１０５＝３．７８１×１０−２１Ｊ×３．６７４×１０５＝３．６７４×１０５℃です。
２００７年３月７日に提出した、特願２００７−９８８７２の「請求項１２」に記した、その場のラブの軌道エネルギーと、その場の光子の公転軌道エネルギーと、その場の光子の自転軌道エネルギーは間違いでした。
▲３▼太陽の質量をブラックホールにすると、半径３Ｋｍになります。
太陽の半径は約７０万Ｋｍです。
重力（万有引力）＝ＧｍＭ÷ｒ２但し、Ｇ＝重力定数、ｍとＭ＝夫々の質量、ｒ＝物体間の距離。
質量は同じですから、重力の比は、
太陽：ブラックホール＝３２：（７×１０５）２＝９：４９×１０１０＝１：５．４４４×１０１０
太陽の重力は、地表の重力の１０倍ですから、
地表の重力：ブラックホールの重力＝１：１０×５．４４４×１０１０＝１：５．４４４×１０１１です。
それで、
ブラックホールのＡ＝（引力）１／２＝（５．４４４×１０１１）１／２＝５４．４４１／２×１０５＝７．３７８×１０５です。
このブラックホールの性質。
Ａは、７．３７８×１０５です。
温度は、（７．３７８×１０５）２℃＝５．４４４×１０１１℃です。
万有引力定数は、６．６７２×１０−１１Ｊｍ／Ｋｇ２×５．４４４×１０１１＝３６．３２２Ｊｍ／Ｋｇ２です。
電子のラブの公転軌道は、１．０５８×１０−１０ｍ÷（７．３７８×１０５）＝１．４３４×１０−１６ｍです。
電子のラブのエネルギーは、８．１８７×１０−１４Ｊ×７．３７８×１０５＝６．０４０×１０−８Ｊです。
陽子のラブの公転軌道は、５．７６４×１０−１４ｍ÷（７．３７８×１０５）＝４．２５３×１０−２０ｍです。
陽子のラブのエネルギーは、１．５×１０−１０Ｊ×７．３７８×１０５＝１．１０７×１０−４Ｊです。
ラブの軌道エネルギーは、８．６６５×１０−２４Ｊｍです。
光子の公転軌道エネルギーは、１．２３３×１０−４１Ｊｍです。
光子の自転軌道エネルギーは、６．１１２×１０−５７Ｊｍです。
１電子のラブが１秒間に作る、引力と成る磁気の光子の公転軌道エネルギーは、
１．２３３×１０−４１Ｊｍ÷（６．１×１０−４ｍ）×６．３３６×１０１５公転×１．０５８×１０−１０ｍ×７．３７８×１０５＝１．３５５×１０−３２Ｊｍ×７．３７８×１０５≒１０−２６Ｊｍです。
１電子のラブが１秒間に作る、熱と成る電気の光子のエネルギーは、
１．２３３×１０−４１Ｊｍ÷（２．０６６×１０−５ｍ）×６．３３６×１０１５公転×７．３７８×１０５＝３．７８１×１０−２１Ｊ×７．３７８×１０５＝７．３７８×１０５℃です。
これを表にします。
2007259699.tif 000007
【請求項７】
ブラックホールの温度は１０−７℃であると考えられている理由について。
私は、ブラックホールの温度は、▲３▼太陽の質量をブラックホールにすると、半径３Ｋｍになる。場合、温度は５．４４４×１０１１℃であると考えます。
しかし、ブラックホールの温度は１０−７℃であると考えられている。
この理由について。
ブラックホールの電子のラブの公転軌道は、１．４３４×１０−１６ｍです。
温度になるためには光子の軌道は遠赤外線である１０−５ｍでなければいけません。
太陽の外側は、６×１０３℃ですから、電子のラブの公転軌道は、
１．０５８×１０−１０ｍ÷（６×１０３）１／２＝１．０５８×１０−１０ｍ÷７７．４６＝１．３６６×１０−１２ｍです。
これが、可視光として届きますから、約７×１０−７ｍから３×１０−７ｍとして届きます。
太陽を１０−８ｍで出発するとしますと、出発するまでに、光子は、１．３６６×１０−１２ｍから１０−８ｍまで伸びています。約１０４倍に伸びました。
ブラックホールでは、１０−１６＋４＝１０−１２ｍで出発するとしますと、これは可視光にも温度にもなりません。温度に成る遠赤外線までなるには、光子の軌道は１０−５÷１０−１２＝１０７倍に伸びなければいけません。それで、ブラックホールの温度は１０−７℃であると考えられている。
【請求項８】
太陽ができた以前の、第１世代の星の質量はいくらか。
地球の元素の中で、原子番号が１番大きいのはＲｇ（レントゲニュウム）である。原子番号が１１１で、中性子＋陽子の数が２７２個です。
第１世代の星の中で、２７２個の中性子ができました。
太陽の中で、４個の中性子ができました。
第１世代の星の中でできた中性子の数は、太陽の中でできた中性子の数の、２７２÷４＝６８倍です。
第１世代の星の中央部の重力は、太陽の中央部の重力の６８倍です。
第１世代の星の中央部の温度は、太陽の中央部の温度の６８倍です。
第１世代の星の中央部のＡは、太陽の中央部のＡの６８１／２倍＝８．２４６倍です。
第１世代の星の質量は、太陽の質量の８．２４６倍です。
第１世代の星が超新星爆発を起こし、放散した元素で、太陽圏ができたとする。
第１世代の星の中央部の性質。
Ａは、太陽の中央部のＡ×８．２４６＝３．８７３×１０３×８．２４６＝３．１９４×１０４です。
温度は、（３．１９４×１０４）２℃＝１．０２×１０９℃です。
万有引力定数は、６．６７２×１０−１１Ｊｍ／Ｋｇ２×（３．１９４×１０４）２＝６．８０７×１０２Ｊｍ／Ｋｇ２です。
電子のラブの公転軌道は、１．０５８×１０−１０ｍ÷（３．１９４×１０４）＝３．３１２×１０−１５ｍです。
電子のラブのエネルギーは、８．１８７×１０−１４Ｊ×３．１９４×１０４＝２．６１５×１０−９Ｊです。
陽子のラブの公転軌道は、５．７６４×１０−１４ｍ÷（３．１９４×１０４）＝１．８０５×１０−１８ｍです。
陽子のラブのエネルギーは、１．５×１０−１０Ｊ×３．１９４×１０４＝４．７９１×１０−６Ｊです。
ラブの軌道エネルギーは、８．６６５×１０−２４Ｊｍです。
光子の公転軌道エネルギーは、１．２３３×１０−４１Ｊｍです。
光子の自転軌道エネルギーは、６．１１２×１０−５７Ｊｍです。
１電子のラブが１秒間に作る、引力と成る磁気の光子の公転軌道エネルギーは、
１．２３３×１０−４１Ｊｍ÷（６．１×１０−４ｍ）×６．３３６×１０１５公転×１．０５８×１０−１０ｍ×３．１９４×１０４＝１．３５５×１０−３２Ｊｍ×３．１９４×１０４＝４．３２８×１０−２８Ｊｍです。
１電子のラブが１秒間に作る、熱と成る電気の光子のエネルギーは、
１．２３３×１０−４１Ｊｍ÷（２．０６６×１０−５ｍ）×６．３３６×１０１５公転×３．１９４×１０４＝３．７８１×１０−２１Ｊ×７．３７８×１０５＝３．１９４×１０４℃です。
私は、２００７年３月７日に提出した、特願２００７−９８８７２の「請求項１２」と「請求項１３」において、
その場のラブの軌道エネルギーは、８．６６５×１０−２４Ｊｍ×Ａです。
その場の光子の公転軌道エネルギーは、１．２３３×１０−４１Ｊｍ×Ａです。
その場の光子の自転軌道エネルギーは、６．１１２×１０−５７Ｊｍ×Ａです。
としたが、これは間違いです。
【請求項９】
太陽の中心部は何か。星の中心部は何か。
第１世代の星の質量は太陽の質量の８．２４６倍なので、超新星爆発をした後、中央部に白色矮星が残る。この白色矮星が太陽の中心部になった。太陽の中心部は白色矮星です。
星の中心部は白色矮星です。第２世代の星の中心部は白色矮星です。
それで、原始星はジェット噴射できる。
第１世代の星の中心部はブラックホールです。ブラックホールの軌道の場で、ブラックホールができた。
【請求項１０】
太陽の水素はどのように集められたのでしょうか。
第１世代の星の質量は、太陽の質量の８．２４６倍です。第１世代の星が超新星爆発をする以前、第１世代の星には水素が全質量の１／８残っていたと仮定します。
第１世代の星が超新星爆発した時、その水素は四方八方に散りました。
それで、第１世代の星に残っていた全ての水素を集める事はできません。
太陽の水素はどのように集められたのでしょうか。
太陽の水素はダークマターによってできた。
第１世代の星の超新星爆発によって、元素は四方八方に散った。第１世代の星の質量は太陽の質量の８．２４６倍なので、中央に白色矮星が残った。白色矮星を中心に、放散した元素が集まり、ブラックホールのような超高エネルギーの部分ができた。そこからジェット噴射が出た。ジェット噴射は、超高エネルギーの部分が作る、電気の光子と磁気の光子です。
ジェット噴射の届く範囲は温度が−２６０℃になった。−２６０℃になった空間のダークマター（自転している電子のラブと陽子のラブ）は公転し、水素ができた。この水素が集まってきた。これが太陽の水素になった。
【請求項１１】
どうして太陽の質量は他の惑星に比べて大きいのか。
太陽の質量は地球の質量の約３０万倍です。
他の惑星も、太陽に比べたら質量は小さい。
太陽の質量を１とすると、水星は１．６６０１×１０−７で、金星は２．４４７８×１０−６で、地球は３．０４０４×１０−６で、火星は３．２２７２×１０−７で、木星は９．５４７９×１０−４で、土星は２．８５８９×１０−４で、天王星は４．３６６３×１０−５で、海王星は５．１５１４×１０−５です。惑星の合計は、１．３３９×１０−３です。
太陽は、惑星の合計の、１÷（１．３３９×１０−３）＝７．４６８×１０２倍もの質量を持つ。
▲１▼超新星爆発で均等に球状に散った水素やヘリウムが、太陽には、惑星の質量の合計の７．４６８×１０２倍も集まったのはどうしてか。
▲２▼超新星爆発で均等に球状に散った元素が、太陽には水素だけが集まったのはどうしてか。
▲３▼第１世代の星の中で、ほとんどの水素は使われて、残っている量は少ないのに、どうして太陽には残っている以上の水素が集められたのか。
これらの問題は、太陽の水素は新しく作られたと考える事によって解決できる。
太陽の水素は、−２７３℃の中で、自転している電子のラブと陽子のラブ（ダークマター）が温められ、公転するようになり、水素ができ、それが集まったものです。
【請求項１２】
星や惑星の水素はどのようにできたか。
第１世代の星の質量は太陽の８．２４６倍です。第１世代の星の中央部の電子のラブの公転軌道は、３．３１２×１０−１５ｍです。Ａ＝３．１９４×１０４です。
太陽の質量を１とします。太陽の中央部の電子のラブの公転軌道は、２．７３２×１０−１４ｍです。
Ａ＝３．８７３×１０３です。
地球の質量は、３．０４０４×１０−６倍です。地球の中央部の電子のラブの公転軌道は、１．０５８×１０−１０ｍ÷８５．６＝２．２１×１０−２ｍです。Ａ＝８５．６です。
第１世代の星の質量は太陽の８．２４６倍です。Ａも太陽の８．２４６倍です。
星の質量とＡは正比例します。
星の質量＝太陽の質量×星のＡ÷太陽のＡ  です。
地球の質量＝太陽の質量×地球のＡ÷太陽のＡ×ｘ＝１×８５．６÷（３．８７３×１０３）×ｘ＝３．０４０４×１０−６
ｘ＝１．３７６×１０−４
地球の質量＝太陽の質量×地球のＡ÷太陽のＡ×１．３７６×１０−４
太陽の質量＝地球の質量÷地球のＡ×太陽のＡ÷（１．３７６×１０−４）
星の質量＝地球の質量÷地球のＡ×太陽のＡ÷（１．３７６×１０−４）×星のＡ÷太陽のＡ＝地球の質量÷地球のＡ÷（１．３７６×１０−４）×星のＡ＝地球の質量÷８５．６÷（１．３７６×１０−４）×星のＡ＝地球の質量×星のＡ×８４．９
星の質量＝地球の質量×星のＡ×８４．９
星の場合。
この事によって理解できる事は、太陽や第１世代の星のように、原始星のとき、ジェット噴射してできた星の質量は、地球のようにジェット噴射しなかった惑星の８４．９×星のＡ倍の質量に成る。ということです。
星はジェット噴射する事によって、惑星の８４．９×星のＡ倍の水素を獲得できた。
ジェット噴射する事によって、８４．９×星のＡ倍のダークマターを獲得できた。
惑星の場合。
地磁気は地球の半径の１０倍遠くまで及びます。それで、地磁気によって被われた空間のダークマターが公転し水素に成り地球に集まった。
これを表にする。
2007259699.tif 000008
【請求項１３】
太陽の原始星が出すジェット噴射はどこまで届いていたのか。
地球の地磁気は地球の半径の１０倍遠くまで届きます。
それで、太陽の原始星が出すジェット噴射は、太陽の半径の１０×８４．９＝８４９倍まで届いた。
この距離は、太陽の半径は、６．９６×１０５Ｋｍですから、６．９６×１０５Ｋｍ×８４９＝５．９０９×１０８Ｋｍです。
この距離は、木星と火星の間です。
【請求項１４】
木星と火星の間に小惑星の数が多いのはどうしてか。小惑星の起源の解明。
太陽の原始星が出すジェット噴射は木星と火星の間に届いた。そのジェット噴出物である電気の光子と磁気の光子は、反対方向から放出され、衝突した。その場の温度を上げた。
その場の温度は高温となり、その場で自転していた電子のラブと陽子のラブは公転し水素に成った。水素は結合し、その場にいた元素とも結合し、小惑星ができた。小惑星は重いので、そのままそこで、太陽の周囲を公転した。これが小惑星の起源です。
【請求項１５】
星の最大質量は太陽の約１００倍です。
太陽の質量の１００倍の星の中央部の電子のラブの公転軌道は、２．７３２×１０−１６ｍです。
太陽の質量をブラックホールにすると、半径３Ｋｍになる。
この場合のブラックホールの電子のラブの公転軌道は、１．４３４×１０−１６ｍです。
それで、星の中央部の電子のラブの公転軌道が、ブラックホールの電子のラブの公転軌道より小さい場合、星は存在しない。
星の中央部の電子のラブの公転軌道が、１．４３４×１０−１６ｍより小さければ、そこはブラックホールになり、星は存在しない。
それで、星の最大質量は太陽の約１００倍です。
【請求項１６】
宇宙背景輻射について。
宇宙背景輻射は、波長は２×１０−３ｍで、温度は２．７３Ｋです。
・ビッグバンで放出した光子の軌道エネルギーはいくらか。
軌道は、２×１０−３ｍ÷２＝１０−３ｍです。
エネルギーは、２．７３Ｋ＝１．３８０６５×１０−２３Ｊ×２．７３＝３．７６９１７×１０−２３Ｊです。
それで、宇宙背景輻射の光子の軌道エネルギーは、
１０−３ｍ×３．７６９１７×１０−２３Ｊ＝３．７６９１７×１０−２６Ｊｍです。
この軌道エネルギーは、ラブの軌道エネルギー８．６６５×１０−２４Ｊｍが弱まったものです。
どれぐらい弱まったか。
３．７６９１７×１０−２６Ｊｍ÷（８．６６５×１０−２４Ｊｍ）＝４．３５×１０−３倍に弱まりました。
これは、１３７億光年間、走り続けているうち、光子の軌道エネルギーが衰弱したのです。
宇宙背景輻射の光子は１３７億年前、ラブの軌道エネルギーでした。
ビッグバンで放出した光子は、地表の光子とは全く異なるエネルギーの持ち主でした。
ビッグバンで放出した光子の軌道エネルギーは、８．６６５×１０−２４Ｊｍでした。
・ビッグバンの光子の軌道エネルギーは、地表の電気の光子の軌道エネルギーの何倍か。
地表の電気の光子の軌道エネルギーは、１．２３３×１０−４１Ｊｍですから、
８．６６５×１０−２４Ｊｍ÷（１．２３３×１０−４１Ｊｍ）＝７．０２８×１０１７倍です。
・宇宙背景輻射の光子の軌道エネルギーは、地表の電気の光子の軌道エネルギーの何倍か。
３．７６９１７×１０−２６Ｊｍ÷（１．２３３×１０−４１Ｊｍ）＝３．０５７×１０１５倍です。
宇宙背景輻射によって、ビッグバンのときの光子の軌道エネルギーがラブの軌道エネルギーである事が証明される。
ビッグバンのとき、光子はラブの軌道エネルギーを持っていた。
この光子がラブの質量に変換した。
【請求項１７】
ビッグバンがおきたとき＝ビッグバンの以前の光子について。
電子のラブの質量に成る光子のエネルギーは、８．６６５Ｊです。
この光子の軌道エネルギーは、８．６６５×１０−２４Ｊｍです。
電子のラブの質量に成る光子の公転軌道は、８．６６５×１０−２４Ｊｍ÷８．６６５Ｊ＝１０−２４Ｊｍです。
電子のラブの質量に成る光子の自転軌道は、３．１４×１０−２４Ｊｍ÷（７．９６×１０７）＝３．９４５×１０−３２ｍです。
陽子のラブの質量に成る光子のエネルギーは、１．５９１×１０４Ｊです。
この光子の軌道エネルギーは、８．６６５×１０−２４Ｊｍです。
陽子のラブの質量に成る光子の公転軌道は、８．６６５×１０−２４Ｊｍ÷（１．５９１×１０４Ｊ）＝５．４４６×１０−２８ｍです。
陽子のラブの質量に成る光子の自転軌道は、３．１４×５．４４６×１０−２８ｍ÷（４．３４×１０４）＝３．９４０×１０−３２ｍです。
【請求項１８】
ビッグバン後の光子について。
ビッグバン後は、３月２６日に提出した特許願のとおりです。
電子のラブの質量に成る光子は、−２７３℃の環境で、電子のラブの質量に変化しました。
電子のラブの質量は、９．１１×１０−３１Ｋｇです。この質量は普遍です。
その場の電子のラブのエネルギーは、８．１８７×１０−３Ｊです。
その場の電子のラブの公転軌道は、８．６６５×１０−２４Ｊｍ÷（８．１８７×１０−３Ｊ）＝１．０５８×１０−２１ｍです。
その場の電子のラブの自転軌道は、３．１４×１．０５８×１０−２１ｍ÷（７．９６×１０７）＝４．１７４×１０−２９ｍです。
その場の電子のラブの秒速は、自転軌道×１秒間の自転数＝４．１７４×１０−２９ｍ×５．０４４×１０２３回＝２．１０５×１０−５ｍです。
陽子のラブの質量に成る光子は、−２７３℃の環境で、陽子のラブの質量に変化しました。
陽子のラブの質量は、１．６７２８×１０−２７Ｋｇです。この質量は普遍です。
その場の陽子のラブのエネルギーは、１５Ｊです。
その場の陽子のラブの公転軌道は、８．６６５×１０−２４Ｊｍ÷１５Ｊ＝５．７７７×１０−２５ｍです。
その場の陽子のラブの自転軌道は、３．１４×５．７７７×１０−２５ｍ÷（４．３４×１０４）＝４．１７４×１０−２９ｍです。
その場の陽子のラブの秒速は、自転軌道×１秒間の自転数＝４．１７４×１０−２９ｍ×１．４９９×１０１７回＝６．２５７×１０−１２ｍです。
【請求項１９】
ビッグバンで空間は何倍に拡大したか。
電子のラブの場合。
ブッグバンがおきたとき、電子のラブの質量に成る光子の自転軌道は、３．９４５×１０−３２ｍです。
ブッグバン後、電子のラブの質量に成る光子の自転軌道は、４．１７４×１０−２９ｍです。
ビッグバンで空間は、４．１７４×１０−２９ｍ÷（３．９４５×１０−３２ｍ）＝１．０５８×１０３倍に成りました。
陽子のラブの場合。
ブッグバンがおきたとき、陽子のラブの質量に成る光子の自転軌道は、３．９４０×１０−３２ｍです。
ブッグバン後、陽子のラブの質量に成る光子の自転軌道は、４．１７４×１０−２９ｍです。
ビッグバンで空間は、４．１７４×１０−２９ｍ÷（３．９４０×１０−３２ｍ）＝１．０６１×１０３倍に成りました。
空間が１．０６×１０３倍になったので、時間も１．０６×１０３倍になった。秒速は１．０６×１０３倍になった。
これらをまとめて表にする。
2007259699.tif 000009
【請求項２０】
星の質量が太陽の質量のＫ倍である場合、星の中央部の電子のラブの公転軌道はいくらか。
太陽の質量のＫ倍である星の中央部の温度は、
太陽の中央部の温度×Ｋ２＝１５×１０６×Ｋ２  です。
それで、Ａ＝（１５×１０６×Ｋ２）１／２＝３．８７３×１０３×Ｋ
公転軌道＝１．０５８×１０−１０ｍ÷（３．８７３×１０３×Ｋ）＝２．７３２×１０−１４ｍ÷Ｋ
２．７３２×１０−１４ｍは、太陽の中央部の電子のラブの公転軌道です。
星の質量が太陽の質量のＫ倍である場合、星の中央部の電子のラブの公転軌道は、２．７３２×１０−１４ｍ÷Ｋ  です。
・例えば、星の中央部の電子のラブの公転軌道が１０−１５ｍである場合、この星の質量は太陽の何倍か。
Ｋ倍とする。
公転軌道＝２．７３２×１０−１４ｍ÷Ｋ
１０−１５ｍ＝２．７３２×１０−１４ｍ÷Ｋ
Ｋ＝２．７３２×１０−１４ｍ÷１０−１５ｍ＝２７．３２
星の中央部の電子のラブの公転軌道が１０−１５ｍである場合、この星の質量は太陽の２７．３２倍です。
公転軌道が１０−１５ｍである場は、太陽の質量の２７．３２倍の星が存在する場です。
・例えば、公転軌道が、５×１０−１５ｍである場は、太陽の何倍の質量の星が存在するか。
５×１０−１５ｍ＝２．７３２×１０−１４ｍ÷Ｋ
Ｋ＝２．７３２×１０−１４ｍ÷（５×１０−１５ｍ）＝５．４６４
公転軌道が５×１０−１５ｍである場は、太陽の質量の５．４６４倍の星が存在する場です。
・例えば、公転軌道が、１０−１６ｍである場は、太陽の何倍の質量の星が存在するか。
１０−１６ｍ＝２．７３２×１０−１４ｍ÷Ｋ
Ｋ＝２．７３２×１０−１４ｍ÷１０−１６ｍ＝２７３．２
公転軌道が１０−１６ｍである場は、太陽の質量の２７３．２倍の星が存在する場です。
しかし、ここはブラックホールの場なので、太陽の質量の２７３．２倍の星は存在しない。
【請求項２１】
ブラックホールは、太陽の質量の３０倍の星が爆発した後に残る、高エネルギーの中央部が収縮したものです。どれ位収縮するのか。
太陽の質量の３０倍の星の中央部の公転軌道は、
２．７３２×１０−１４ｍ÷３０＝９．１１×１０−１６ｍです。
これが収縮して、ブラックホールの軌道は、１．４３４×１０−１６ｍになる。
９．１１×１０−１６ｍ÷（１．４３４×１０−１６ｍ）＝６．３５３分の１に収縮するとブラックホールになる。
１．４３４×１０−１６ｍ÷（９．１１×１０−１６ｍ）＝０．１５７倍に収縮するとブラックホールになる。
ブラックホールは、太陽の質量の３０倍の星が爆発した後に残る、高エネルギーの中央部が収縮したものです。このブラックホールを考えた時、収縮する割合を、１０１／２＝３．１６２としました。それで、公転軌道は、２．８８×１０−１６ｍに成りました。
ここでは、６．３５３分の１に収縮するとして計算します。
この星のＡ＝３．８７３×１０３×３０＝１．１６２×１０５です。
公転軌道は、１．０５８×１０−１０ｍ÷（１．１６２×１０５）＝９．１０５×１０−１６ｍです。
それが、６．３５３分の１に収縮すると、９．１０５×１０−１６ｍ÷６．３５３＝１．４３３×１０−１６ｍです。
・この事によって、「請求項６」で考えた▲２▼と▲３▼は同じである事が理解できた。
【請求項２２】
「宇宙のエネルギーと軌道の関係のグラフ」である、ｙ＝−ｘ−２３、のグラフで何が理解できるか。
ｙ＝−ｘ−２３のグラフを、「宇宙のエネルギーと軌道の関係のグラフ」と名づける。
この事については、２００７年３月２６日に提出した特許願の「請求項８」に記した。
▲１▼その場のエネルギーが宇宙のどの点に属するかを理解できる。
電子のラブと陽子のラブが質量を得たのは、公転軌道が１０−２１ｍです。
ブラックホールの公転軌道は、１．４３３×１０−１６ｍです。
太陽の質量の５．４６４倍の星の中央部の公転軌道は、５×１０−１５ｍです。
太陽の質量の２７．３２倍の星の中央部の公転軌道は、１０−１５ｍです。
太陽の質量の１００倍の星の中央部の公転軌道は、２．７３２×１０−１６ｍです。
太陽の親である第１世代の星の中央部の公転軌道は、３．３１２×１０−１５ｍです。
太陽の中央部の公転軌道は、２．７３２×１０−１４ｍです。
暗黒星雲は−２６０で、この場の公転軌道は、１．７０６×１０−９ｍです。
ダークマターは、−２７３℃の場に存在し、この場の公転軌道は、１．７４８×１０−９ｍです。
▲２▼Ｘ＝０の場で、ビッグバンがおきた。
【請求項２３】
宇宙の年齢と公転軌道について。
１０−２４ｍ  ０年  ビッグバンがおきた。
１０−２１ｍ  １０−４年＝５２．５６分  電子のラブと陽子のラブの質量ができた。
１０−２０ｍ  １０−２年＝８７．６時間
１０−１９ｍ  １年
１０−１８ｍ  １０２年
１０−１７ｍ  １０４年
１０−１６ｍ  １０６年  クエーサーができた。
１０−１５ｍ  １０８年  太陽の質量の２７．３２倍の星ができた。
１０−１４ｍ  １０１０年  太陽ができた。
【請求項２４】
宇宙の年齢と（クエーサー→銀河）の中央のブラックホールについて。
１０−１６ｍ  １０６年  中央のブラックホールは太陽の質量の１０９倍。クエーサーの中央部のブラックホールができた。
１０−１５ｍ  １０８年  中央のブラックホールは太陽の質量の１０８倍。太陽の質量の２７．３２倍の星ができた。
１０−１４ｍ  １０１０年  中央のブラックホールは太陽の質量の１０７倍。第２世代の星ができた。
１０−１３ｍ  １０１２年  中央のブラックホールは太陽の質量の１０６倍。
１０−１２ｍ  １０１４年  中央のブラックホールは太陽の質量の１０５倍。
【請求項２５】
クエーサーがたどる歴史について。
１０−１６ｍ  １０６年  ブラックホールの場でクエーサーの中央のブラックホールができた。太陽の質量の１０９倍のブラックホールができた。
５×１０−１６ｍ  １０７年  黒い楕円球上のクエーサーになった。
２．７３２×１０−１６ｍ  太陽の質量の１００倍の星ができた。
１０−１５ｍ  １０８年  太陽の質量の２７．３２倍の星ができた。
５×１０−１５ｍ  １０９年  太陽の質量の５．４６４倍の星ができた。
３．３１２×１０−１５ｍ  太陽の親である第１世代の星ができた。
１０−１４ｍ  １０１０年  第２世代の星ができた。
２．７３２×１０−１４ｍ  太陽ができた。
１０−１３ｍ  １０１２年  銀河系の外側から星が消滅する。中央の星はまだ残っている。
１０−１２ｍ  １０１４年  銀河系に存在するのはブラックホールだけ。
１．７４８×１０−９ｍ  約１０２０年  −２７３℃の場で全てがダークマターになる。
【請求項２６】
クエーサーがたどる歴史を図にするとどのようになるか。
クエーサーのたどる歴史を、横軸を宇宙の年代とし、縦軸を公転軌道とする。
１０−１６ｍ。１０６年。１０−１６ｍのブラックホールの軌道の場で、クエーサーの中央部のブラックホールができる。太陽の質量の１０９倍のブラックホールができる。
５×１０−１６ｍ。１０７年。ブラックホールからジェット噴射が放出し、その電気の光子と磁気の光子が周囲の温度を高くし、ダークマターを水素にする。水素が集まって、クエーサーは黒色の楕円球になる。
黒い楕円球体の中央には太陽の質量の１０９倍のブラックホールがある。
２．７３２×１０−１６ｍ。太陽の質量の１００倍の星ができた。
１０−１５ｍ。１０８年。太陽の質量の２７．３２倍の星ができた。第１世代の星ができる。
５×１０−１５ｍ。１０９年。太陽の質量の５．４６４倍の星ができた。
１０−１４ｍ。１０１０年。第２世代の星ができる。
１０−１３ｍ。１０１２年。１０１０年代に１０−１５ｍだった場は、１０−１４ｍの場になり、星が存在する。
１０−１２ｍ。１０１４年。銀河に存在するのはブラックホールだけ。クエーサーの中央部にあった太陽の質量の１０９倍の質量のブラックホールは、太陽の質量の１０５倍の質量に成り、銀河の中央部に存在する。
【発明の詳細な説明】
【技術分野】
【０００１】  この発明は、ダークマター、暗黒星雲、ブラックホール、太陽ができる以前の第１世代の星、太陽や星や惑星の水素、太陽の原始星、小惑星、背景輻射、ビッグバンで放出した光子、宇宙の年齢と公転軌道、クエーサーがたどる歴史、に関する。
これらの事を、電子の公転軌道や自転軌道によって理解する。光子の軌道エネルギーにより理解する。
【背景技術】
【０００２】  ダークマターには質量はあるが電荷は無い。暗黒星雲の温度は−２６０℃である。ブラックホールは太陽の質量を、半径３Ｋｍの球体に閉じ込めたものです。太陽ができる以前の第１世代の星の中で、太陽圏の元素はできた。宇宙背景輻射は、温度は２．７３Ｋであり、波長は２ｍｍです。
【発明の開示】
１．−２７３℃で、電子のラブは公転できず自転するようになる。この自転する電子のラブはどのようになるのか。これがダークマターに成るのではないだろうか。
２．太陽の質量は、他の惑星の合計の質量の７００倍もある。しかも、水素が多い。なぜか。
これは、ダークマターは水素に成る成分であるからではないだろうか。
ダークマターは、自転する電子のラブと陽子のラブである。自転する電子のラブと陽子のラブを公転させるためには、その場の温度を上げたらよい。その場の温度を上げるためには、電気の光子を送ったらよい。原始星からジェット噴射する光子は、光子を送る役目をしている。原始星からジェット噴射した光子はその場の温度を上げ、電子のラブと陽子のラブを公転させ、水素にする。この水素が太陽に集まる。
３．私は、ビッグバンのとき、光子が電子のラブの質量に成り、陽子のラブの質量に成ると理解した。果たして、ビッグバンの光子のエネルギーはそんなに大きいのか。背景輻射からこれを解く。
【発明が解決しようとする課題】
【０００３】１．ダークマターは何か。
２．ダークマターに電荷が無いのはなぜか。
３．ダークマターは存在する場所により２種類に分類される。
４．暗黒星雲はどうしてできるか。
５．暗黒星雲を作る温度−２６０℃はどのようにできるか。
６．ブラックホールについて。
７．ブラックホールの温度は１０−７℃であると考えられている理由について。
８．太陽ができた以前の、第１世代の星の質量はいくらか。
９．太陽の中心部は何か。星の中心部は何か。
１０．太陽の水素はどのように集められたのでしょうか。
１１．どうして太陽の質量は他の惑星に比べて大きいのか。
１２．星や惑星の水素はどのようにできたか。
１３．太陽の原始星が出すジェット噴射はどこまで届いていたのか。
１４．木星と火星の間に小惑星の数が多いのはどうしてか。小惑星の起源の解明。
１５．星の最大質量は太陽の約１００倍です。
１６．宇宙背景輻射について。
１７．ビッグバンがおきたとき＝ビッグバンの以前の光子について。
１８．ビッグバン後の光子について。
１９．ビッグバンで空間は何倍に拡大したか。
２０．星の質量が太陽の質量のＫ倍である場合、星の中央部の電子のラブの公転軌道はいくらか。
２１．ブラックホールは、太陽の質量の３０倍の星が爆発した後に残る、高エネルギーの中央部が収縮したものです。どれ位収縮するのか。
２２．「宇宙のエネルギーと軌道の関係のグラフ」である、ｙ＝−ｘ−２３、のグラフで何が理解できるか。
２３．宇宙の年齢と公転軌道について。
２４．宇宙の年齢と中央のブラックホールについて。
２５．クエーサーがたどる歴史について。
２６．クエーサーがたどる歴史を図にするとどのようになるか。
【発明を解決するための手段】
【０００４】宇宙における諸問題を電子のラブの公転軌道と自転軌道によって解決する。
星の場合、中央部の電子のラブの公転軌道をその場の軌道とする。
ダークマターは−２７３℃であり、暗黒星雲は−２６０度です。この温度の違いがダークマターを水素にした。
−２７３℃の場の電子のラブの公転軌道では、電子のラブは公転できず、−２６０℃の場の電子のラブの公転軌道では、電子のラブは公転できると考える。
原始星が何であるかを知る事によって、原始星からなぜジェット噴射が放出されるのかが理解できる。
原始星はジェット噴射するが、それによって、どれ位多くの水素を集める事ができるかを知る。
太陽の原始星が放出するジェット放射はどれ位遠くまで放出したかを知る。
その事によって、どのような現象が起きたかを知る。小惑星ができる。
この事によってダークマターが何であるかが理解できる。
宇宙背景輻射については、光子の公転軌道により、その光子のエネルギーの大きさを知る。
その光子のエネルギーの大きさが、電子のラブや陽子のラブの質量を作ったと理解できる。
宇宙の様子をグラフや図によって理解する。
【発明の実施態様】
【０００５】１．ダークマターは何か。
ダークマターは、−２７３℃の場に存在し、公転できず、自転だけしている電子のラブと陽子のラブです。
−２７３℃の場で、電子のラブの公転軌道は、
１．０５８×１０−１０ｍ×（２７３）１／２＝１．０５８×１０−１０ｍ×１６．５２３＝１．７４８×１０−９ｍです。
電子のラブの秒速は、
３．１４×公転軌道×１秒間の公転数＝３．１４×１．７４８×１０−９ｍ×（７．９６×１０７）２公転＝３．４７８×１０７ｍになり、光速に近くなり、公転できなくなる。
それで、電子のラブは自転だけする。
−２７３℃の場で、陽子のラブの公転軌道は、
５．７６４×１０−１４ｍ×（２７３）１／２＝５．７６４×１０−１４ｍ×１６．５２３＝９．５２４×１０−１３ｍです。
陽子のラブの秒速は、
３．１４×公転軌道×１秒間の公転数＝３．１４×９．５２４×１０−１３ｍ×７．９６×１０７×４．３４×１０４公転＝１．０３３×１０ｍになり、公転できなくなる。
それで、陽子のラブは自転だけする。
２．ダークマターに電荷が無いのはなぜか。
中性子の核磁気モーメントはマイナスです。陽子の核磁気モーメントはプラスです。
これは公転する方向が逆であるからです。電荷は公転する方向によって決まる。
もし、公転していなかったら、公転する方向もありません。
ダークマターである、自転する電子のラブと陽子のラブは公転しませんから、公転する方向もありません。
よって、公転する方向が無いので、電荷は無いです。
３．ダークマターは存在する場所により２種類に分類される。
１種類は、ビッグバン後、クエーサーに成れなかったダークマター（−２７３℃で自転している電子のラブと陽子のラブ）です。
２種類は、クエーサーの中で、これは後で銀河に成りますから、銀河の中で、星や惑星や褐色矮星やブラックホールや中性子星や白色矮星や暗黒星雲に成れなかったダークマター（−２７３℃で自転している電子のラブと陽子のラブ）です。
ビッグバン後、質量を得た電子のラブと陽子のラブは、−２７３℃の場で、自転しています。
そして、クエーサーの中に存在できなかった電子のラブと陽子のラブは、−２７３℃の場で、自転し続けます。
クエーサーの中に存在した電子のラブと陽子のラブのなかで、星や惑星や褐色矮星やブラックホールや中性子星や白色矮星や暗黒星雲に成らず、水素や元素に成らず、−２７３℃の場で、自転している電子のラブと陽子のラブがダークマターです。
４．暗黒星雲はどうしてできるか。
暗黒星雲は−２６０です。この温度で、ダークマターである、自転している電子のラブと陽子のラブは、公転します。
電子のラブの公転軌道は、
１．０５８×１０−１０ｍ×（２６０）１／２＝１．０５８×１０−１０ｍ×１６．１２５＝１．７０６×１０−９ｍです。
陽子のラブの公転軌道は、
５．７６４×１０−１４ｍ×（２６０）１／２＝５．７６４×１０−１４ｍ×１６．１２５＝９．２９４×１０−１３ｍです。
この電子のラブと陽子のラブが水素になり、水素分子に成り、暗黒星雲になる。
この事によって、宇宙で、水素になることができる電子のラブの最大の公転軌道は、１．７０６×１０−９ｍです。
電子のラブの最大の秒速は、３．１４×公転軌道×１秒間の公転数＝３．１４×１．７０６×１０−９ｍ×（７．９６×１０７）２公転＝３．３９４×１０７ｍです。
宇宙で、水素になることができる陽子のラブの最大の公転軌道は、９．２９４×１０−１３ｍです。
陽子のラブの最大の秒速は、３．１４×公転軌道×１秒間の公転数＝３．１４×９．２９４×１０−１３ｍ×７．９６×１０７×４．３４×１０４公転＝１０ｍです。
５．暗黒星雲を作る温度−２６０℃はどのようにできるか。
▲１▼ジェット噴射によってできる。
▲２▼恒星から放出する光子によってできる。
クエーサーのジェット噴射によって、電気の光子と磁気の光子は広い範囲に飛び散る。
原始星のジェット噴射によって、電気の光子と磁気の光子は広い範囲に飛び散る。
恒星から電気の光子と磁気の光子が放出する。
この電気の光子が−２７３℃の温度を−２６０℃に上昇させる。この事によって、−２６０℃の場ができ、その場に存在していたダークマターである、自転する電子のラブと陽子のラブは、公転するようになり、水素になる。
よって、ジェット噴射が大きいほど広範囲の空間のダークマターを水素にする事ができる。
６．ブラックホールについて。
ブラックホールを次の３点から考える。
▲１▼ブラックホールの万有引力は１Ｊｍ／ｋｇ２である。これは、私が２００７年３月７日に提出した、特願２００７−９８８７２の「請求項１２」に記した。
▲２▼ブラックホールは、太陽の質量の３０倍の星が爆発した後に残る、高エネルギーの中央部が収縮したものです。
この星の中央部の温度は、
太陽の中央部の温度×３０２＝１５×１０６℃×９００＝１．３５×１０１０℃です。
この星の中央の万有引力係数は、
６．６７２×１０−１１Ｊｍ／Ｋｇ２×１．３５×１０１０＝９×１０−１Ｊｍ  です。
しかし、ブラックホールになると、更に収縮するので、その収縮を１０１／２としますと、ブラックホールの場の万有引力係数は、９×１０−１Ｊｍ×１０＝９Ｊｍ／Ｋｇ２です。
このブラックホールの性質。
温度は、１．３５×１０１０℃×１０＝１．３５×１０１１℃です。
Ａは、（１．３５×１０１１℃）１／２＝１３．５１／２×１０５＝３．６７４×１０５です。
万有引力定数は、９Ｊｍ／Ｋｇ２です。
電子のラブの公転軌道は、１．０５８×１０−１０ｍ÷（３．６７４×１０５）＝２．８８×１０−１６ｍです。
電子のラブのエネルギーは、８．１８７×１０−１４Ｊ×３．６７４×１０５＝３．００８×１０−８Ｊです。
陽子のラブの公転軌道は、５．７６４×１０−１４ｍ÷（３．６７４×１０５）＝１．５６９×１０−１９ｍです。
陽子のラブのエネルギーは、１．５×１０−１０Ｊ×３．６７４×１０５＝５．５１１×１０−５Ｊです。
ラブの軌道エネルギーは、８．６６５×１０−２４Ｊｍです。
光子の公転軌道エネルギーは、１．２３３×１０−４１Ｊｍです。
光子の自転軌道エネルギーは、６．１１２×１０−５７Ｊｍです。
１電子のラブが１秒間に作る、引力と成る磁気の光子の公転軌道エネルギーは、
１．２３３×１０−４１Ｊｍ÷（６．１×１０−４ｍ）×６．３３６×１０１５公転×１．０５８×１０−１０ｍ×３．６７４×１０５＝１．３５５×１０−３２Ｊｍ×３．６７４×１０５＝４．９７８×１０−２７Ｊｍです。
１電子のラブが１秒間に作る、熱と成る電気の光子のエネルギーは、
１．２３３×１０−４１Ｊｍ÷（２．０６６×１０−５ｍ）×６．３３６×１０１５公転×３．６７４×１０５＝３．７８１×１０−２１Ｊ×３．６７４×１０５＝３．６７４×１０５℃です。
２００７年３月７日に提出した、特願２００７−９８８７２の「請求項１２」に記した、その場のラブの軌道エネルギーと、その場の光子の公転軌道エネルギーと、その場の光子の自転軌道エネルギーは間違いでした。
▲３▼太陽の質量をブラックホールにすると、半径３Ｋｍになります。
太陽の半径は約７０万Ｋｍです。
重力（万有引力）＝ＧｍＭ÷ｒ２但し、Ｇ＝重力定数、ｍとＭ＝夫々の質量、ｒ＝物体間の距離。
質量は同じですから、重力の比は、
太陽：ブラックホール＝３２：（７×１０５）２＝９：４９×１０１０＝１：５．４４４×１０１０
太陽の重力は、地表の重力の１０倍ですから、
地表の重力：ブラックホールの重力＝１：１０×５．４４４×１０１０＝１：５．４４４×１０１１です。
それで、
ブラックホールのＡ＝（引力）１／２＝（５．４４４×１０１１）１／２＝５４．４４１／２×１０５＝７．３７８×１０５です。
このブラックホールの性質。
Ａは、７．３７８×１０５です。
温度は、（７．３７８×１０５）２℃＝５．４４４×１０１１℃です。
万有引力定数は、６．６７２×１０−１１Ｊｍ／Ｋｇ２×５．４４４×１０１１＝３６．３２２Ｊｍ／Ｋｇ２です。
電子のラブの公転軌道は、１．０５８×１０−１０ｍ÷（７．３７８×１０５）＝１．４３４×１０−１６ｍです。
電子のラブのエネルギーは、８．１８７×１０−１４Ｊ×７．３７８×１０５＝６．０４０×１０−８Ｊです。
陽子のラブの公転軌道は、５．７６４×１０−１４ｍ÷（７．３７８×１０５）＝４．２５３×１０−２０ｍです。
陽子のラブのエネルギーは、１．５×１０−１０Ｊ×７．３７８×１０５＝１．１０７×１０−４Ｊです。
ラブの軌道エネルギーは、８．６６５×１０−２４Ｊｍです。
光子の公転軌道エネルギーは、１．２３３×１０−４１Ｊｍです。
光子の自転軌道エネルギーは、６．１１２×１０−５７Ｊｍです。
１電子のラブが１秒間に作る、引力と成る磁気の光子の公転軌道エネルギーは、
１．２３３×１０−４１Ｊｍ÷（６．１×１０−４ｍ）×６．３３６×１０１５公転×１．０５８×１０−１０ｍ×７．３７８×１０５＝１．３５５×１０−３２Ｊｍ×７．３７８×１０５≒１０−２６Ｊｍです。
１電子のラブが１秒間に作る、熱と成る電気の光子のエネルギーは、
１．２３３×１０−４１Ｊｍ÷（２．０６６×１０−５ｍ）×６．３３６×１０１５公転×７．３７８×１０５＝３．７８１×１０−２１Ｊ×７．３７８×１０５＝７．３７８×１０５℃です。
これを表にします。
2007259699.tif 000003
2007259699.tif 000004
７．ブラックホールの温度は１０−７℃であると考えられている理由について。
私は、ブラックホールの温度は、▲３▼太陽の質量をブラックホールにすると、半径３Ｋｍになる。場合、温度は５．４４４×１０１１℃であると考えます。
しかし、ブラックホールの温度は１０−７℃であると考えられている。
この理由について。
ブラックホールの電子のラブの公転軌道は、１．４３４×１０−１６ｍです。
温度になるためには光子の軌道は遠赤外線である１０−５ｍでなければいけません。
太陽の外側は、６×１０３℃ですから、電子のラブの公転軌道は、
１．０５８×１０−１０ｍ÷（６×１０３）１／２＝１．０５８×１０−１０ｍ÷７７．４６＝１．３６６×１０−１２ｍです。
これが、可視光として届きますから、約７×１０−７ｍから３×１０−７ｍとして届きます。
太陽を１０−８ｍで出発するとしますと、出発するまでに、光子は、１．３６６×１０−１２ｍから１０−８ｍまで伸びています。約１０４倍に伸びました。
ブラックホールでは、１０−１６＋４＝１０−１２ｍで出発するとしますと、これは可視光にも温度にもなりません。温度に成る遠赤外線までなるには、光子の軌道は１０−５÷１０−１２＝１０７倍に伸びなければいけません。それで、ブラックホールの温度は１０−７℃であると考えられている。
８．太陽ができた以前の、第１世代の星の質量はいくらか。
地球の元素の中で、原子番号が１番大きいのはＲｇ（レントゲニュウム）である。原子番号が１１１で、中性子＋陽子の数が２７２個です。
第１世代の星の中で、２７２個の中性子ができました。
太陽の中で、４個の中性子ができました。
第１世代の星の中でできた中性子の数は、太陽の中でできた中性子の数の、２７２÷４＝６８倍です。
第１世代の星の中央部の重力は、太陽の中央部の重力の６８倍です。
第１世代の星の中央部の温度は、太陽の中央部の温度の６８倍です。
第１世代の星の中央部のＡは、太陽の中央部のＡの６８１／２倍＝８．２４６倍です。
第１世代の星の質量は、太陽の質量の８．２４６倍です。
第１世代の星が超新星爆発を起こし、放散した元素で、太陽圏ができたとする。
第１世代の星の中央部の性質。
Ａは、太陽の中央部のＡ×８．２４６＝３．８７３×１０３×８．２４６＝３．１９４×１０４です。
温度は、（３．１９４×１０４）２℃＝１．０２×１０９℃です。
万有引力定数は、６．６７２×１０−１１Ｊｍ／Ｋｇ２×（３．１９４×１０４）２＝６．８０７×１０２Ｊｍ／Ｋｇ２です。
電子のラブの公転軌道は、１．０５８×１０−１０ｍ÷（３．１９４×１０４）＝３．３１２×１０−１５ｍです。
電子のラブのエネルギーは、８．１８７×１０−１４Ｊ×３．１９４×１０４＝２．６１５×１０−９Ｊです。
陽子のラブの公転軌道は、５．７６４×１０−１４ｍ÷（３．１９４×１０４）＝１．８０５×１０−１８ｍです。
陽子のラブのエネルギーは、１．５×１０−１０Ｊ×３．１９４×１０４＝４．７９１×１０−６Ｊです。
ラブの軌道エネルギーは、８．６６５×１０−２４Ｊｍです。
光子の公転軌道エネルギーは、１．２３３×１０−４１Ｊｍです。
光子の自転軌道エネルギーは、６．１１２×１０−５７Ｊｍです。
１電子のラブが１秒間に作る、引力と成る磁気の光子の公転軌道エネルギーは、
１．２３３×１０−４１Ｊｍ÷（６．１×１０−４ｍ）×６．３３６×１０１５公転×１．０５８×１０−１０ｍ×３．１９４×１０４＝１．３５５×１０−３２Ｊｍ×３．１９４×１０４＝４．３２８×１０−２８Ｊｍです。
１電子のラブが１秒間に作る、熱と成る電気の光子のエネルギーは、
１．２３３×１０−４１Ｊｍ÷（２．０６６×１０−５ｍ）×６．３３６×１０１５公転×３．１９４×１０４＝３．７８１×１０−２１Ｊ×７．３７８×１０５＝３．１９４×１０４℃です。
私は、２００７年３月７日に提出した、特願２００７−９８８７２の「請求項１２」と「請求項１３」において、
その場のラブの軌道エネルギーは、８．６６５×１０−２４Ｊｍ×Ａです。
その場の光子の公転軌道エネルギーは、１．２３３×１０−４１Ｊｍ×Ａです。
その場の光子の自転軌道エネルギーは、６．１１２×１０−５７Ｊｍ×Ａです。
としたが、これは間違いです。
９．太陽の中心部は何か。星の中心部は何か。
第１世代の星の質量は太陽の質量の８．２４６倍なので、超新星爆発をした後、中央部に白色矮星が残る。この白色矮星が太陽の中心部になった。太陽の中心部は白色矮星です。
星の中心部は白色矮星です。第２世代の星の中心部は白色矮星です。
それで、原始星はジェット噴射できる。
第１世代の星の中心部はブラックホールです。ブラックホールの軌道の場で、ブラックホールができた。
１０．太陽の水素はどのように集められたのでしょうか。
第１世代の星の質量は、太陽の質量の８．２４６倍です。第１世代の星が超新星爆発をする以前、第１世代の星には水素が全質量の１／８残っていたと仮定します。
第１世代の星が超新星爆発した時、その水素は四方八方に散りました。
それで、第１世代の星に残っていた全ての水素を集める事はできません。
太陽の水素はどのように集められたのでしょうか。
太陽の水素はダークマターによってできた。
第１世代の星の超新星爆発によって、元素は四方八方に散った。第１世代の星の質量は太陽の質量の８．２４６倍なので、中央に白色矮星が残った。白色矮星を中心に、放散した元素が集まり、ブラックホールのような超高エネルギーの部分ができた。そこからジェット噴射が出た。ジェット噴射は、超高エネルギーの部分が作る、電気の光子と磁気の光子です。
ジェット噴射の届く範囲は温度が−２６０℃になった。−２６０℃になった空間のダークマター（自転している電子のラブと陽子のラブ）は公転し、水素ができた。この水素が集まってきた。これが太陽の水素になった。
１１．どうして太陽の質量は他の惑星に比べて大きいのか。
太陽の質量は地球の質量の約３０万倍です。
他の惑星も、太陽に比べたら質量は小さい。
太陽の質量を１とすると、水星は１．６６０１×１０−７で、金星は２．４４７８×１０−６で、地球は３．０４０４×１０−６で、火星は３．２２７２×１０−７で、木星は９．５４７９×１０−４で、土星は２．８５８９×１０−４で、天王星は４．３６６３×１０−５で、海王星は５．１５１４×１０−５です。惑星の合計は、１．３３９×１０−３です。
太陽は、惑星の合計の、１÷（１．３３９×１０−３）＝７．４６８×１０２倍もの質量を持つ。
▲１▼超新星爆発で均等に球状に散った水素やヘリウムが、太陽には、惑星の質量の合計の７．４６８×１０２倍も集まったのはどうしてか。
▲２▼超新星爆発で均等に球状に散った元素が、太陽には水素だけが集まったのはどうしてか。
▲３▼第１世代の星の中で、ほとんどの水素は使われて、残っている量は少ないのに、どうして太陽には残っている以上の水素が集められたのか。
これらの問題は、太陽の水素は新しく作られたと考える事によって解決できる。
太陽の水素は、−２７３℃の中で、自転している電子のラブと陽子のラブ（ダークマター）が温められ、公転するようになり、水素ができ、それが集まったものです。
１２．星や惑星の水素はどのようにできたか。
第１世代の星の質量は太陽の８．２４６倍です。第１世代の星の中央部の電子のラブの公転軌道は、３．３１２×１０−１５ｍです。Ａ＝３．１９４×１０４です。
太陽の質量を１とします。太陽の中央部の電子のラブの公転軌道は、２．７３２×１０−１４ｍです。
Ａ＝３．８７３×１０３です。
地球の質量は、３．０４０４×１０−６倍です。地球の中央部の電子のラブの公転軌道は、１．０５８×１０−１０ｍ÷８５．６＝２．２１×１０−２ｍです。Ａ＝８５．６です。
第１世代の星の質量は太陽の８．２４６倍です。Ａも太陽の８．２４６倍です。
星の質量とＡは正比例します。
星の質量＝太陽の質量×星のＡ÷太陽のＡ  です。
地球の質量＝太陽の質量×地球のＡ÷太陽のＡ×ｘ＝１×８５．６÷（３．８７３×１０３）×ｘ＝３．０４０４×１０−６
ｘ＝１．３７６×１０−４
地球の質量＝太陽の質量×地球のＡ÷太陽のＡ×１．３７６×１０−４
太陽の質量＝地球の質量÷地球のＡ×太陽のＡ÷（１．３７６×１０−４）
星の質量＝地球の質量÷地球のＡ×太陽のＡ÷（１．３７６×１０−４）×星のＡ÷太陽のＡ＝地球の質量÷地球のＡ÷（１．３７６×１０−４）×星のＡ＝地球の質量÷８５．６÷（１．３７６×１０−４）×星のＡ＝地球の質量×星のＡ×８４．９
星の質量＝地球の質量×星のＡ×８４．９
星の場合。
この事によって理解できる事は、太陽や第１世代の星のように、原始星のとき、ジェット噴射してできた星の質量は、地球のようにジェット噴射しなかった惑星の８４．９×星のＡ倍の質量に成る。ということです。
星はジェット噴射する事によって、惑星の８４．９×星のＡ倍の水素を獲得できた。
ジェット噴射する事によって、８４．９×星のＡ倍のダークマターを獲得できた。
惑星の場合。
地磁気は地球の半径の１０倍遠くまで及びます。それで、地磁気によって被われた空間のダークマターが公転し水素に成り地球に集まった。
これを表にする。
2007259699.tif 000005
１３．太陽の原始星が出すジェット噴射はどこまで届いていたのか。
地球の地磁気は地球の半径の１０倍遠くまで届きます。
それで、太陽の原始星が出すジェット噴射は、太陽の半径の１０×８４．９＝８４９倍まで届いた。
この距離は、太陽の半径は、６．９６×１０５Ｋｍですから、６．９６×１０５Ｋｍ×８４９＝５．９０９×１０８Ｋｍです。
この距離は、木星と火星の間です。
１４．木星と火星の間に小惑星の数が多いのはどうしてか。小惑星の起源の解明。
太陽の原始星が出すジェット噴射は木星と火星の間に届いた。そのジェット噴出物である電気の光子と磁気の光子は、反対方向から放出され、衝突した。その場の温度を上げた。
その場の温度は高温となり、その場で自転していた電子のラブと陽子のラブは公転し水素に成った。水素は結合し、その場にいた元素とも結合し、小惑星ができた。小惑星は重いので、そのままそこで、太陽の周囲を公転した。これが小惑星の起源です。
１５．星の最大質量は太陽の約１００倍です。
太陽の質量の１００倍の星の中央部の電子のラブの公転軌道は、２．７３２×１０−１６ｍです。
太陽の質量をブラックホールにすると、半径３Ｋｍになる。
この場合のブラックホールの電子のラブの公転軌道は、１．４３４×１０−１６ｍです。
それで、星の中央部の電子のラブの公転軌道が、ブラックホールの電子のラブの公転軌道より小さい場合、星は存在しない。
星の中央部の電子のラブの公転軌道が、１．４３４×１０−１６ｍより小さければ、そこはブラックホールになり、星は存在しない。
それで、星の最大質量は太陽の約１００倍です。
１６．宇宙背景輻射について。
宇宙背景輻射は、波長は２×１０−３ｍで、温度は２．７３Ｋです。
・ビッグバンで放出した光子の軌道エネルギーはいくらか。
軌道は、２×１０−３ｍ÷２＝１０−３ｍです。
エネルギーは、２．７３Ｋ＝１．３８０６５×１０−２３Ｊ×２．７３＝３．７６９１７×１０−２３Ｊです。
それで、宇宙背景輻射の光子の軌道エネルギーは、
１０−３ｍ×３．７６９１７×１０−２３Ｊ＝３．７６９１７×１０−２６Ｊｍです。
この軌道エネルギーは、ラブの軌道エネルギー８．６６５×１０−２４Ｊｍが弱まったものです。
どれぐらい弱まったか。
３．７６９１７×１０−２６Ｊｍ÷（８．６６５×１０−２４Ｊｍ）＝４．３５×１０−３倍に弱まりました。
これは、１３７億光年間、走り続けているうち、光子の軌道エネルギーが衰弱したのです。
宇宙背景輻射の光子は１３７億年前、ラブの軌道エネルギーでした。
ビッグバンで放出した光子は、地表の光子とは全く異なるエネルギーの持ち主でした。
ビッグバンで放出した光子の軌道エネルギーは、８．６６５×１０−２４Ｊｍでした。
・ビッグバンの光子の軌道エネルギーは、地表の電気の光子の軌道エネルギーの何倍か。
地表の電気の光子の軌道エネルギーは、１．２３３×１０−４１Ｊｍですから、
８．６６５×１０−２４Ｊｍ÷（１．２３３×１０−４１Ｊｍ）＝７．０２８×１０１７倍です。
・宇宙背景輻射の光子の軌道エネルギーは、地表の電気の光子の軌道エネルギーの何倍か。
３．７６９１７×１０−２６Ｊｍ÷（１．２３３×１０−４１Ｊｍ）＝３．０５７×１０１５倍です。
宇宙背景輻射によって、ビックバンのときの光子の軌道エネルギーがラブの軌道エネルギーである事が証明される。
ビッグバンのとき、光子はラブの軌道エネルギーを持っていた。
この光子がラブの質量に変換した。
１７．ビッグバンがおきたとき＝ビッグバンの以前の光子について。
電子のラブの質量に成る光子のエネルギーは、８．６６５Ｊです。
この光子の軌道エネルギーは、８．６６５×１０−２４Ｊｍです。
電子のラブの質量に成る光子の公転軌道は、８．６６５×１０−２４Ｊｍ÷８．６６５Ｊ＝１０−２４Ｊｍです。
電子のラブの質量に成る光子の自転軌道は、３．１４×１０−２４Ｊｍ÷（７．９６×１０７）＝３．９４５×１０−３２ｍです。
陽子のラブの質量に成る光子のエネルギーは、１．５９１×１０４Ｊです。
この光子の軌道エネルギーは、８．６６５×１０−２４Ｊｍです。
陽子のラブの質量に成る光子の公転軌道は、８．６６５×１０−２４Ｊｍ÷（１．５９１×１０４Ｊ）＝５．４４６×１０−２８ｍです。
陽子のラブの質量に成る光子の自転軌道は、３．１４×５．４４６×１０−２８ｍ÷（４．３４×１０４）＝３．９４０×１０−３２ｍです。
１８．ビッグバン後の光子について。
ビッグバン後は、３月２６日に提出した特許願のとおりです。
電子のラブの質量に成る光子は、−２７３℃の環境で、電子のラブの質量に変化しました。
電子のラブの質量は、９．１１×１０−３１Ｋｇです。この質量は普遍です。
その場の電子のラブのエネルギーは、８．１８７×１０−３Ｊです。
その場の電子のラブの公転軌道は、８．６６５×１０−２４Ｊｍ÷（８．１８７×１０−３Ｊ）＝１．０５８×１０−２１ｍです。
その場の電子のラブの自転軌道は、３．１４×１．０５８×１０−２１ｍ÷（７．９６×１０７）＝４．１７４×１０−２９ｍです。
その場の電子のラブの秒速は、自転軌道×１秒間の自転数＝４．１７４×１０−２９ｍ×５．０４４×１０２３回＝２．１０５×１０−５ｍです。
陽子のラブの質量に成る光子は、−２７３℃の環境で、陽子のラブの質量に変化しました。
陽子のラブの質量は、１．６７２８×１０−２７Ｋｇです。この質量は普遍です。
その場の陽子のラブのエネルギーは、１５Ｊです。
その場の陽子のラブの公転軌道は、８．６６５×１０−２４Ｊｍ÷１５Ｊ＝５．７７７×１０−２５ｍです。
その場の陽子のラブの自転軌道は、３．１４×５．７７７×１０−２５ｍ÷（４．３４×１０４）＝４．１７４×１０−２９ｍです。
その場の陽子のラブの秒速は、自転軌道×１秒間の自転数＝４．１７４×１０−２９ｍ×１．４９９×１０１７回＝６．２５７×１０−１２ｍです。
１９．ビッグバンで空間は何倍に拡大したか。
電子のラブの場合。
ブッグバンがおきたとき、電子のラブの質量に成る光子の自転軌道は、３．９４５×１０−３２ｍです。
ブッグバン後、電子のラブの質量に成る光子の自転軌道は、４．１７４×１０−２９ｍです。
ビッグバンで空間は、４．１７４×１０−２９ｍ÷（３．９４５×１０−３２ｍ）＝１．０５８×１０３倍に成りました。
陽子のラブの場合。
ブッグバンがおきたとき、陽子のラブの質量に成る光子の自転軌道は、３．９４０×１０−３２ｍです。
ブッグバン後、陽子のラブの質量に成る光子の自転軌道は、４．１７４×１０−２９ｍです。
ビッグバンで空間は、４．１７４×１０−２９ｍ÷（３．９４０×１０−３２ｍ）＝１．０６１×１０３倍に成りました。
空間が１．０６×１０３倍になったので、時間も１．０６×１０３倍になった。秒速は１．０６×１０３倍になった。
これらをまとめて表にする。
2007259699.tif 000006
２０．星の質量が太陽の質量のＫ倍である場合、星の中央部の電子のラブの公転軌道はいくらか。
太陽の質量のＫ倍である星の中央部の温度は、
太陽の中央部の温度×Ｋ２＝１５×１０６×Ｋ２  です。
それで、Ａ＝（１５×１０６×Ｋ２）１／２＝３．８７３×１０３×Ｋ
公転軌道＝１．０５８×１０−１０ｍ÷（３．８７３×１０３×Ｋ）＝２．７３２×１０−１４ｍ÷Ｋ
２．７３２×１０−１４ｍは、太陽の中央部の電子のラブの公転軌道です。
星の質量が太陽の質量のＫ倍である場合、星の中央部の電子のラブの公転軌道は、２．７３２×１０−１４ｍ÷Ｋ  です。
・例えば、星の中央部の電子のラブの公転軌道が１０−１５ｍである場合、この星の質量は太陽の何倍か。
Ｋ倍とする。
公転軌道＝２．７３２×１０−１４ｍ÷Ｋ
１０−１５ｍ＝２．７３２×１０−１４ｍ÷Ｋ
Ｋ＝２．７３２×１０−１４ｍ÷１０−１５ｍ＝２７．３２
星の中央部の電子のラブの公転軌道が１０−１５ｍである場合、この星の質量は太陽の２７．３２倍です。
公転軌道が１０−１５ｍである場は、太陽の質量の２７．３２倍の星が存在する場です。
・例えば、公転軌道が、５×１０−１５ｍである場は、太陽の何倍の質量の星が存在するか。
５×１０−１５ｍ＝２．７３２×１０−１４ｍ÷Ｋ
Ｋ＝２．７３２×１０−１４ｍ÷（５×１０−１５ｍ）＝５．４６４
公転軌道が５×１０−１５ｍである場は、太陽の質量の５．４６４倍の星が存在する場です。
・例えば、公転軌道が、１０−１６ｍである場は、太陽の何倍の質量の星が存在するか。
１０−１６ｍ＝２．７３２×１０−１４ｍ÷Ｋ
Ｋ＝２．７３２×１０−１４ｍ÷１０−１６ｍ＝２７３．２
公転軌道が１０−１６ｍである場は、太陽の質量の２７３．２倍の星が存在する場です。
しかし、ここはブラックホールの場なので、太陽の質量の２７３．２倍の星は存在しない。
２１．ブラックホールは、太陽の質量の３０倍の星が爆発した後に残る、高エネルギーの中央部が収縮したものです。どれ位収縮するのか。
太陽の質量の３０倍の星の中央部の公転軌道は、
２．７３２×１０−１４ｍ÷３０＝９．１１×１０−１６ｍです。
これが収縮して、ブラックホールの軌道は、１．４３４×１０−１６ｍになる。
９．１１×１０−１６ｍ÷（１．４３４×１０−１６ｍ）＝６．３５３分の１に収縮するとブラックホールになる。
１．４３４×１０−１６ｍ÷（９．１１×１０−１６ｍ）＝０．１５７倍に収縮するとブラックホールになる。
ブラックホールは、太陽の質量の３０倍の星が爆発した後に残る、高エネルギーの中央部が収縮したものです。このブラックホールを考えた時、収縮する割合を、１０１／２＝３．１６２としました。それで、公転軌道は、２．８８×１０−１６ｍに成りました。
ここでは、６．３５３分の１に収縮するとして計算します。
この星のＡ＝３．８７３×１０３×３０＝１．１６２×１０５です。
公転軌道は、１．０５８×１０−１０ｍ÷（１．１６２×１０５）＝９．１０５×１０−１６ｍです。
それが、６．３５３分の１に収縮すると、９．１０５×１０−１６ｍ÷６．３５３＝１．４３３×１０−１６ｍです。
・この事によって、「請求項６」で考えた▲２▼と▲３▼は同じである事が理解できた。
２２．「宇宙のエネルギーと軌道の関係のグラフ」である、ｙ＝−ｘ−２３、のグラフで何が理解できるか。
ｙ＝−ｘ−２３のグラフを、「宇宙のエネルギーと軌道の関係のグラフ」と名づける。
この事については、２００７年３月２６日に提出した特許願の「請求項８」に記した。
▲１▼その場のエネルギーが宇宙のどの点に属するかを理解できる。
電子のラブと陽子のラブが質量を得たのは、公転軌道が１０−２１ｍです。
ブラックホールの公転軌道は、１．４３３×１０−１６ｍです。
太陽の質量の５．４６４倍の星の中央部の公転軌道は、５×１０−１５ｍです。
太陽の質量の２７．３２倍の星の中央部の公転軌道は、１０−１５ｍです。
太陽の質量の１００倍の星の中央部の公転軌道は、２．７３２×１０−１６ｍです。
太陽の親である第１世代の星の中央部の公転軌道は、３．３１２×１０−１５ｍです。
太陽の中央部の公転軌道は、２．７３２×１０−１４ｍです。
暗黒星雲は−２６０で、この場の公転軌道は、１．７０６×１０−９ｍです。
ダークマターは、−２７３℃の場に存在し、この場の公転軌道は、１．７４８×１０−９ｍです。
▲２▼Ｘ＝０の場で、ビッグバンがおきた。
２３．宇宙の年齢と公転軌道について。
１０−２４ｍ  ０年  ビッグバンがおきた。
１０−２１ｍ  １０−４年＝５２．５６分  電子のラブと陽子のラブの質量ができた。
１０−２０ｍ  １０−２年＝８７．６時間
１０−１９ｍ  １年
１０−１８ｍ  １０２年
１０−１７ｍ  １０４年
１０−１６ｍ  １０６年  クエーサーができた。
１０−１５ｍ  １０８年  太陽の質量の２７．３２倍の星ができた。
１０−１４ｍ  １０１０年  太陽ができた。
２４．宇宙の年齢と（クエーサー→銀河）の中央のブラックホールについて。
１０−１６ｍ  １０６年  中央のブラックホールは太陽の質量の１０９倍。クエーサーの中央部のブラックホールができた。
１０−１５ｍ  １０８年  中央のブラックホールは太陽の質量の１０８倍。太陽の質量の２７．３２倍の星ができた。
１０−１４ｍ  １０１０年  中央のブラックホールは太陽の質量の１０７倍。第２世代の星ができた。
１０−１３ｍ  １０１２年  中央のブラックホールは太陽の質量の１０６倍。
１０−１２ｍ  １０１４年  中央のブラックホールは太陽の質量の１０５倍。
２５．クエーサーがたどる歴史について。
１０−１６ｍ  １０６年  ブラックホールの場でクエーサーの中央のブラックホールができた。太陽の質量の１０９倍のブラックホールができた。
５×１０−１６ｍ  １０７年  黒い楕円球上のクエーサーになった。
２．７３２×１０−１６ｍ  太陽の質量の１００倍の星ができた。
１０−１５ｍ  １０８年  太陽の質量の２７．３２倍の星ができた。
５×１０−１５ｍ  １０９年  太陽の質量の５．４６４倍の星ができた。
３．３１２×１０−１５ｍ  太陽の親である第１世代の星ができた。
１０−１４ｍ  １０１０年  第２世代の星ができた。
２．７３２×１０−１４ｍ  太陽ができた。
１０−１３ｍ  １０１２年  銀河系の外側から星が消滅する。中央の星はまだ残っている。
１０−１２ｍ  １０１４年  銀河系に存在するのはブラックホールだけ。
１．７４８×１０−９ｍ  約１０２０年  −２７３℃の場で全てがダークマターになる。
２６．クエーサーがたどる歴史を図にするとどのようになるか。
クエーサーのたどる歴史を、横軸を宇宙の年代とし、縦軸を公転軌道とする。
１０−１６ｍ。１０６年。１０−１６ｍのブラックホールの軌道の場で、クエーサーの中央部のブラックホールができる。太陽の質量の１０９倍のブラックホールができる。
５×１０−１６ｍ。１０７年。ブラックホールからジェット噴射が放出し、その電気の光子と磁気の光子が周囲の温度を高くし、ダークマターを水素にする。水素が集まって、クエーサーは黒色の楕円球になる。
黒い楕円球体の中央には太陽の質量の１０９倍のブラックホールがある。
２．７３２×１０−１６ｍ。太陽の質量の１００倍の星ができた。
１０−１５ｍ。１０８年。太陽の質量の２７．３２倍の星ができた。第１世代の星ができる。
５×１０−１５ｍ。１０９年。太陽の質量の５．４６４倍の星ができた。
１０−１４ｍ。１０１０年。第２世代の星ができる。
１０−１３ｍ。１０１２年。１０１０年代に１０−１５ｍだった場は、１０−１４ｍの場になり、星が存在する。
１０−１２ｍ。１０１４年。銀河に存在するのはブラックホールだけ。クエーサーの中央部にあった太陽の質量の１０９倍の質量のブラックホールは、太陽の質量の１０５倍の質量に成り、銀河の中央部に存在する。
【発明の効果】
【０００６】次の事が理解できた。
１．ダークマターは、−２７３℃の場に存在し、公転できず、自転だけしている電子のラブと陽子のラブであることが、暗黒星雲は−２６０℃であり、この温度で、電子のラブと陽子のラブは公転でき水素に成ることによって証明できた。
１．ダークマターは、−２７３℃の場に存在し、公転できず、自転だけしている電子のラブと陽子のラブであることが、太陽には水素が多く、この水素は、太陽の原始星のジェット噴射がダークマターを温めてできた水素である事によって証明できた。
１．ダークマターは、−２７３℃の場に存在し、公転できず、自転だけしている電子のラブと陽子のラブであることが、小惑星は、太陽の原始星のジェット噴射がダークマターを温めてできた水素でできている事によって証明できた。
１．小惑星は、太陽の原始星のジェット噴射が反対方向から放出し、それが衝突した場にできたものである。
１．背景輻射の光子の軌道エネルギーは、１０−３ｍ×３．７６９１７×１０−２３Ｊ＝３．７６９１７×１０−２６Ｊｍです。これはラブの公転軌道エネルギーが４．３５×１０−３倍に弱まったものです。
この事によって、ビッグバンで放出した光子が電子のラブと陽子のラブの質量に成った事が証明できた。
宇宙背景輻射によって、ビッグバンのときの光子の軌道エネルギーがラブの軌道エネルギーである事が証明された。
ビッグバンのとき、光子はラブの軌道エネルギーを持っていた。この光子がラブの質量に変換した。
１．ビッグバンの以前、電子のラブの質量に成る光子の自転軌道は、３．９４５×１０−３２ｍです。
陽子のラブの質量に成る光子の自転軌道は、３．９４０×１０−３２ｍです。
１．星の質量が太陽の質量のＫ倍である場合、星の中央部の電子のラブの公転軌道は、２．７３２×１０−１４ｍ÷Ｋ  です。
１．ブラックホールは、太陽の質量の３０倍の星が爆発した後に残る、高エネルギーの中央部が６．３５３分の１に収縮するとブラックホールになる。
１．クエーサーの歴史を図に表現できた。
【図面の簡単な説明】
【０００７】
【図１】太陽の原始星が出すジェット噴射は木星と火星の間に届いた。そのジェット噴出物である電気の光子と磁気の光子は、反対方向から放出され、衝突した。その場の温度を上げた。その場の温度は高温となり、その場で自転していた電子のラブと陽子のラブは公転し水素に成った。水素は結合し、その場にいた元素とも結合し、小惑星ができた。小惑星は重いので、そのままそこで、太陽の周囲を公転した。これが小惑星の起源です。
【図２】宇宙背景輻射の光子の軌道エネルギーは、１０−３ｍ×３．７６９１７×１０−２３Ｊ＝３．７６９１７×１０−２６Ｊｍです。この軌道エネルギーは、ラブの軌道エネルギー８．６６５×１０−２４Ｊｍが弱まったものです。どれぐらい弱まったか。３．７６９１７×１０−２６Ｊｍ÷（８．６６５×１０−２４Ｊｍ）＝４．３５×１０−３倍に弱まりました。これは、１３７億光年間、走り続けているうち、光子の軌道エネルギーが衰弱したのです。
【図３】ビッグバンの以前の、電子のラブの質量に成る１個の光子の自転軌道は、３．９４５×１０−３２ｍです。ビッグバン後、電子のラブの自転軌道は、４．１７４×１０−２９ｍです。ビッグバンによって、空間は１．０５８×１０３倍に拡大した。
【図４】クエーサーがたどる歴史を図にするとどのようになるか。クエーサーのたどる歴史を、横軸を宇宙の年代とし、縦軸を公転軌道とする。１０−１６ｍ。１０６年。１０−１６ｍのブラックホールの軌道の場で、クエーサーの中央のブラックホールができる。５×１０−１６ｍ。１０７年。ブラックホールからジェット噴射が放出し、その電気の光子と磁気の光子が周囲の温度を高くし、ダークマターを水素にする。水素が集まって、クエーサーは黒色の楕円球になる。黒い楕円球体の中央には太陽の質量の１０９倍のブラックホールがある。２．７３２×１０−１６ｍ。太陽の質量の１００倍の星ができた。１０−１５ｍ。１０８年。太陽の質量の２７．３２倍の星ができた。第１世代の星ができる。５×１０−１５ｍ。１０９年。太陽の質量の５．４６４倍の星ができた。１０−１４ｍ。１０１０年。第２世代の星ができる。１０−１３ｍ。１０１２年。１０１０年代に１０−１５ｍだった場は、１０−１４ｍの場になり、星が存在する。１０−１２ｍ。１０１４年。銀河に存在するのはブラックホールだけ。銀河の中央部には太陽の質量の１０５倍のブラックホールが存在する。
【符号の説明】
【０００８】１  太陽の原始星
２  ジェット噴射
３  木星
４  火星
５  その場で自転していた電子のラブと陽子のラブ＝ダークマター
６  水素
７  小惑星
８  宇宙背景輻射の光子の軌道エネルギーは、３．７６９１７×１０−２６Ｊｍです。
９  ビッグバンの以前の光子の軌道エネルギーは、８．６６５×１０−２４Ｊｍです。
１０  ビッブバンの以前の電子のラブの質量に成る１個の光子
１１  ビッグバン後の電子のラブ
１２  １０−１６ｍ。１０６年。クエーサーの中央部のブラックホールができる。
１３  ５×１０−１６ｍ。１０７年。クエーサーは黒色の楕円球になる。
１４  ２．７３２×１０−１６ｍ。太陽の質量の１００倍の星ができた。
１５  １０−１５ｍ。１０８年。太陽の質量の２７．３２倍の星ができた。第１世代の星ができる。
１６  ５×１０−１５ｍ。１０９年。太陽の質量の５．４６４倍の星ができた。
１７  １０−１４ｍ。１０１０年。第２世代の星ができる。
１８  １０−１３ｍ。１０１２年。１０１０年代に１０−１５ｍだった場は、１０−１４ｍの場になり、星が存在する。
１９  １０−１２ｍ。１０１４年。銀河に存在するのはブラックホールだけ。銀河の中央部には太陽の質量の１０５倍のブラックホールが存在する。
【図１】
2007259699.tif 000010
【図２】
2007259699.tif 000011
【図３】
2007259699.tif 000012
【図４】
2007259699.tif 000013